(57)【特許請求の範囲】
【請求項１】
所定の間隔を空けて配置された一対の支持体と、
水平に配置され、前記一対の支持体により両端が支持されてなる支持軸と、
前後方向に拡がる着座面を有し、前記着座面が略水平となる使用位置と、前記着座面の前方が上昇することで前記着座面が略鉛直となる収納位置と、の間で回動可能となるように、前記支持軸により支持される座体と、
前記座体に設けられた第１取付部に一端が回動可能に連結されると共に、前記支持体に対する位置関係が一定となる第２取付部に他端が回動可能に連結されており、伸長することで、前記座体を前記収納位置に向けて付勢するガススプリングと、を備え、
前記座体が回動する領域のうち、前記収納位置から所定の範囲にあたる収納領域に前記座体が位置する場合の前記ガススプリングの伸長速度は、前記収納領域以外の領域に前記座体が位置する場合の前記ガススプリングの伸長速度に比べて小さく、
前記支持軸の軸方向から見たときに、前記ガススプリングと前記第２取付部との連結位置は、前記座体が前記使用位置にある場合の前記ガススプリングと前記第１取付部との連結位置と、前記支持軸と、を結ぶ直線を基準として、前記座体が前記収納位置にある場合の前記ガススプリングと前記第１取付部との連結位置とは反対側の領域に位置する
ことを特徴とする椅子。
【請求項２】
前記ガススプリングは、前記座体における前記着座面の裏面側に位置する領域に配置される
ことを特徴とする請求項１に記載の椅子。
【請求項３】
前記収納領域は、前記座体が前記使用位置にあるときの前記座体の前記床面に対する位置関係に基づいて定まる足接地位置よりも、前記椅子の背面側に位置する
ことを特徴とする請求項１または請求項２に記載の椅子。
【発明の詳細な説明】
【技術分野】
【０００１】
本発明は、着座面が略鉛直となる収納位置，および，着座面が略水平となる使用位置それぞれへと回動して変位するように構成された椅子に関する。
【背景技術】
【０００２】
従来、例えば学校の講義室のように、机および椅子が群設されている場所においては、机と椅子との間を人が容易に移動できるように、非着席時には、着座用の座体が略鉛直方向に立ち上がって収納可能となるように構成された椅子が用いられている。例えば、座体が支軸に対して回転可能な状態で取り付けられるとともに、座体における支軸よりも後方の部分に円柱状の錘が横設された構成の椅子が開示されている（特許文献１参照）。このような構成の椅子では、錘によって座体が立ち上がる方向へ付勢されており、使用者が離席すると座体が自動的に立ち上がって収納される。
【０００３】
しかしながら、上記の椅子は、座体が勢いよく跳ね上がって背凭れやストッパなどに強く当接し、大きな衝撃音や振動を発生させて周囲に不快感を与えたり、その衝撃によりストッパの破損や劣化を促進する虞がある。一方、座体がゆっくりと立ち上がる構成とすると、座体に足が接触して使用者が立ちにくくなる。よって、座体が回動する速度は、使用者が立ち上がった際に使用者の足に接触しなくなる位置に座体が回動するまではなるべく早く、その位置以降はゆっくりと回動することが望まれる。
【０００４】
このような問題を解決する椅子としては、例えば、座体を立ち上げる方向に付勢するスプリングと、流体が充填されたシリンダおよびシリンダ内を摺動するピストンを有するシリンダ装置と、を備え、座体の回動に伴って、ピストンを摺動してシリンダ内の流体を圧縮又は流動させ、その反力を座体に伝達し、座体の回動方向に抗する反力を加えるように構成された椅子が開示されている（特許文献２参照）。このような構成の椅子では、使用者が立ち上がるとスプリングにより座体が立ち上がり、座体が回動するとシリンダ装置が座体の回動速度を抑制し、座体が背凭れなどに当接する際の衝撃音を低減することができる。
【特許文献１】実公昭５８−４７９０３号公報
【特許文献２】特許第３８８８９９２号公報
【発明の開示】
【発明が解決しようとする課題】
【０００５】
上述した特許文献２に記載の椅子は、座体にスプリングとシリンダ装置とを別々の位置に設置する必要があるため、それらを配置してカバーを取り付けると、座体自体が厚くなってしまう。そのため、座体が立ち上がった状態であっても机と椅子との間のスペースが狭くなってしまい、机と椅子との間の移動が不便になるという問題があった。
【０００６】
本発明は上述した問題に鑑みてなされたものであり、回動速度を調節しつつ、小さく収納することができる椅子を提供することを目的とする。
【課題を解決するための手段】
【０００７】
上述した問題点を解決するためになされた請求項１記載の発明は、所定の間隔を空けて配置された一対の支持体と、水平に配置され、上記一対の支持体により両端が支持されてなる支持軸と、前後方向に拡がる着座面を有し、上記着座面が略水平となる使用位置と、上記着座面の前方が上昇することで上記着座面が略鉛直となる収納位置と、の間で回動可能となるように、上記支持軸により支持される座体と、上記座体に設けられた第１取付部
に一端が取り付けられると共に、上記支持体に対する位置関係が一定となる第２取付部に他端が取り付けられており、伸長することで、上記座体を上記収納位置に向けて付勢するガススプリングと、を備え、上記座体が回動する領域のうち、上記収納位置から所定の範囲にあたる収納領域に上記座体が位置する場合の上記ガススプリングの伸長速度は、上記収納領域以外の領域に上記座体が位置する場合の上記ガススプリングの伸長速度に比べて小さく、また、支持軸の軸方向から見たときに、上記ガススプリングと上記第２取付部との連結位置は、上記座体が上記使用位置にある場合の上記ガススプリングと上記第１取付部との連結位置と、上記支持軸と、を結ぶ直線を基準として、上記座体が上記収納位置にある場合の上記ガススプリングと上記第１取付部との連結位置とは反対側の領域に位置することを特徴とする椅子である。
【０００８】
このように構成された椅子において、ガススプリングは、座体を付勢して収納位置に移動させると共に、収納位置付近では座体の回動速度を抑え、大きな衝突音を発生することを抑制する。従来は、上記の機能を得るためにスプリングなどの付勢手段と、ダンパーなどの緩衝手段と、の２種類を別々の位置に取り付ける必要があったが、上記請求項１の構成ではガススプリングのみを取り付ければよく、部品の取り付けに必要なスペースを減少させることができる。よって、本発明の椅子であれば、回動速度を調節しつつ小さく収納することがでる。それにより、例えば講義室などの群設されている椅子に適用することで、座体を収納した時に使用者が移動するスペースを大きくとることができる。
【０００９】
また、従来は座体の回動速度を調整するために、スプリングの復元力とシリンダ装置の反力とをそれぞれ調整し、その合力を適切な値に合わせる必要があったため、回動速度を適切なものとすることが困難であったが、本発明の椅子ではガススプリングの調整のみでよく、適切な回動速度の調整が容易となる。
【００１０】
なお、第２取付部の設置位置は、支持体との位置関係が一定となる位置、つまり、座体の回動に伴って変位しない位置であれば、その設置位置は特に限定されない。例えば、支持体に設けられていても良いし、支持軸が座体と共に回動しないのであれば支持軸に設けられていても良い。
【００１１】
請求項２に記載の発明は、請求項１に記載の椅子であって、上記ガススプリングが、上記座体における上記着座面の裏面側に位置する領域に配置されることを特徴とする。
このように構成された椅子であれば、使用者の体や衣服がガススプリングに接触しにくくなるので、座体の回動に伴って移動および伸縮するガススプリングに体や衣服を巻き込む事故を抑制することができる。また、座体が使用位置にある場合においては、ガススプリングが座体の下に位置することとなるので、使用者の着座の邪魔にならず、椅子の正面および背面のスペースを効率よく使用することができる。
【００１２】
請求項３に記載の発明は、請求項１または請求項２に記載の椅子であって、上記収納領域は、上記座体が上記使用位置にあるときの上記座体の上記床面に対する位置関係に基づいて定まる足接地位置よりも、上記椅子の背面側に位置することを特徴とする。
【００１３】
このように構成された椅子であれば、使用者が立ち上がろうとすると、立ち上がったときに足が接触しやすい領域では座体が素早く回動し、足が接触しにくい領域まで回動すると、座体がゆっくりと動くことになる。よって、立ち上がり動作の邪魔にならず、都合がよい。
【００１４】
なお、上述した足接地位置とは、座体の着座面の先端や、座体の床面からの高さによって定まる位置であって、一般的な体格の人が椅子から自然に（楽に）立ち上がろうとする際に、足の踵が接地する位置である。この位置より背面側に座体がある場合には、使用者の足に座体が接触しないので、この位置より背面側まで座体が素早く回動させることで、使用者の立ち上がりを快適なものとすることができる。
【発明を実施するための最良の形態】
【００１５】
以下に本発明の実施形態を図面と共に説明する。
（１）全体構成
本実施例の椅子ユニット１は、図１に示すように、左右方向（図１におけるＡＢ方向）に所定の間隔を空けて配置される一対の支柱１０（１０Ｒ，１０Ｌ）と、上記支柱１０Ｒ，１０Ｌにより水平に支持される天板２０と、上記天板２０の正面方向（図１におけるＣ方向）の端部に取り付けられた略鉛直方向に広がる背凭れ３０と、上記支柱１０Ｒ，１０Ｌにより床面より高い位置で支持される着座用の座体４０と、からなるものであって、支柱１０Ｒ，１０Ｌと天板２０が机として機能し、支柱１０Ｒ，１０Ｌ，背凭れ３０，および座体４０が椅子として機能する。この椅子ユニット１は、講義室などにおいて、図２に示すように、椅子の正面方向に複数並べて設置される。
【００１６】
上述した支柱１０Ｒ，１０Ｌには、図１に示すように、床面に固定される固定部１１（１１Ｒ，１１Ｌ）と、固定部１１Ｒ，１１Ｌから上方向に延びだす柱部１２（１２Ｒ，１２Ｌ）と、柱部１２（１２Ｒ，１２Ｌ）それぞれから椅子の正面方向に延びだす突出部１３（１３Ｒ，１３Ｌ）が設けられている。この突出部１３Ｒと突出部１３Ｌとの間には、上記左右方向に伸びて水平に配置される支持軸１４が配置されている。この支持軸１４は、両端を突出部１３Ｒおよび突出部１３Ｌにより回動不能に固定されている。なお、上述した支柱１０Ｒ，１０Ｌが本発明における支持体に相当する。
【００１７】
上述した座体４０は、前後左右方向（図１におけるＣ−Ｄ，Ａ−Ｂ方向）に拡がる着座面４１を有する座板４２と、座板４２の裏面における左右（図１におけるＡ−Ｂ方向）両端に取り付けられ、上記支持軸１４に対して座板４２を回動可能に固定する軸受け４３と、着座面４１の裏面側の領域を覆うように形成されたカバー４４と、からなる。
【００１８】
この座体４０は、図３に示すように、着座面４１が略水平となる使用位置（図３における座体４０ａの位置であって、図２においては座体４０ａに該当）と、着座面４１の前方が上昇することで着座面４１が略鉛直となる収納位置（図３における座体４０ｃの位置であって、図２においては座体４０ｃに該当）と、の間で回動可能となるように、支持軸１４により後方が支持される。なお、図示しないストッパにより、使用位置と収納位置との間の領域以外への回動が制限されている。
【００１９】
また、座板４２の裏面には、着座面４１が収納位置となる方向に座板４２を付勢するガススプリング５０が備えられている。このガススプリング５０は、座体４０に設けられた第１取付部４５に第１連結部５９が回動可能に連結すると共に、支持軸１４に設けられた第２取付部１５に第２連結部６１が回動可能に連結する。これにより、ガススプリング５０が伸長することで、着座面４１が略鉛直状態となる収納位置に座体４０が付勢されることとなる。
【００２０】
ガススプリング５０は、図４に示すように、ガス５１およびオイル５２が封入されたシリンダ５３と、一端がシリンダ５３内に挿入されると共に他端がシリンダ５３外に突出しており、シリンダ５３内部を摺動して突出量が変化するロッド５４と、ロッド５４における上述した一端側の端部に取り付けられ、シリンダ５３内部を２室に画成するピストン５５と、ピストン５５に形成され、上記２室を連通するオリフィス５６と、ロッド５４においてピストン５５と並べて配置されたチェックバルブ５７と、からなる。シリンダ５３におけるロッド５４が突出しない側の先端には、貫通孔５８が形成されてなる第１連結部５９が形成されている。また、ロッド５４の上述した他端側の先端には、貫通孔６０が形成されてなる第２連結部６１が形成されている。
【００２１】
このようなガススプリング５０において、ピストン５５は、ピストン５５に加わるガス圧力の２室間の差異により、ロッド５４を外部に押し出す方向（図４におけるＥ方向）に付勢されている。この付勢力より強い外力がロッド５４に加えられないときは、ロッド５４がシリンダ５３外に向かって移動する（ガススプリング５０が伸長する）。
【００２２】
また、ロッド５４が移動する際には、ガス５１がオリフィス５６を通過することにより、ロッド５４の移動速度およびオリフィス５６の径により定まる第１の反力で移動速度が抑制される。
【００２３】
また、チェックバルブ５７は、通常、図５（ａ）に示すように、ピストン５５と一定の間隔をあけて位置しているが、ロッド５４がシリンダ５３外に向かって移動し、ピストン５５がオイル５２の層に進入すると、図５（ｂ）に示すように、ピストン５５側に移動してオリフィス５６の出口の経路をさらに狭める。これにより、上述した第１の反力よりも強い第２の反力でロッド５４の移動速度が抑制される。
【００２４】
つまり、ガススプリング５０の伸長速度は、ガススプリング５０が所定の長さ（ピストン５５がオイル５２の層に進入するときのガススプリング５０の長さ）を超えたときを境に大きく減少する。なお、ロッド５４がシリンダ５３内に向かって移動する際には、ロッド５４の位置に関わらずチェックバルブ５７は図５（ａ）の位置となり、上述した第２の反力は発生せず、第１の反力により移動速度が抑制される。
【００２５】
なお、第２取付部１５の設置位置は、支柱１０Ｒ，１０Ｌとの位置関係が一定となるように設置されていれば、その具体的な設置位置は特に限定されない。例えば、支柱１０Ｒまたは支柱１０Ｌに対して直接設置されていても良い。
【００２６】
また、カバー４４は、上述した軸受け４３およびガススプリング５０を覆うように座板４２に沿って形成されており、座体４０の回動に伴ってそれらが動作した際に、服や体の一部などが巻き込まれることを抑制している。
（２）座体４０の回動動作
座体４０の回動動作を、図２に基づいて説明する。図２において、座体４０ａは使用者２ａが座って使用している状態、座体４０ｂは使用者２ｂが立ち上がる過程における状態、座体４０ｃは使用者２ｃが立ち上がった後の状態を示している。
【００２７】
座体４０の着座面４１が略水平状態である使用位置（図２における座体４０ａの位置）に座体４０が位置するときは、ガススプリング５０は最も圧縮された状態（ロッド５４がシリンダ５３の内部に進入した状態）となっており、座体４０は使用者２ａの体重の負荷によりその状態が維持される。
【００２８】
この状態から使用者２ａが立ち上がり、使用者２ｂの状態となると、体重による負荷が無くなるため、ガススプリング５０が伸びることで座体４０が回動する（図２における座体４０ｂ）。このとき、座体４０の回動速度は第１の反力で抑制されるが、第１の反力は第２の反力よりも小さいため、座体４０は素早く回動する。
【００２９】
そして、ガススプリング５０が伸長していくことで、座体４０は、着座面４１が略鉛直となる収納位置（図２における座体４０ｃ）まで回動する。このとき、ガススプリング５０は最も伸長した状態（ロッド５４がシリンダ５３の外部に突出した状態）となる。上述したガススプリング５０の所定の長さは、このときの長さより短い長さに設定される。
【００３０】
ガススプリング５０が上述した所定の長さを超えて伸びると、ガススプリング５０の伸長速度が遅くなる結果、座体４０の回動速度は遅くなる。ガススプリング５０が所定の長さを超えたときの座体４０の位置をブレーキポイントとすると、座体４０はブレーキポイントを通過すると回動速度が遅くなる。
【００３１】
その後、ゆっくりと収納位置に移動して静止する。よって、座体４０が停止する際に衝突音などを発生しなくなる。また、ブレーキポイントから収納位置までの領域に座体４０が位置する状態では、天板２０と座体４０との正面方向の幅Ｆが人の足に接触しない程度に大きくなり、人が容易に椅子と机の間を通過できるようになる。なお、ブレーキポイントから収納位置までの領域が、本発明における収納領域に相当する。
【００３２】
一方、収納位置から使用位置に回動する際には、手などで座体４０の前方を下方向に押圧することで実現できる。座体４０を収納位置からブレーキポイント方向へ回動させる場合は、収納領域に座体４０が位置していても、ガススプリング５０の圧縮方向への速度抑制は上述した第１の反力によるものであるため、ブレーキポイントから収納位置へ回動する場合に比べて反力が小さく、小さな力で使用位置に座体４０を回動させることができる。
（３）ブレーキポイントの設定
上述したブレーキポイントは、以下のように定められる。
【００３３】
図２に示すように、着座中の使用者２ａが立ち上がる際には、使用者２ｂのように足は床面に接地する。このときの踵の位置を足接地位置７０とする。足接地位置７０は、使用位置における着座面４１の前端４１ａの位置，および着座面４１の床面からの高さに応じて推定される位置である。
【００３４】
この足接地位置７０に踵を接地して起立すると、使用者２ｃの足の背面は、足接地位置７０から鉛直方向に伸ばした線（図２における線Ｇ）に沿って位置するようになる。ブレーキポイントは、この線Ｇよりも椅子の背面側の領域に座体４０の前端４１ａが回動したときの座体４０の位置に定められる。前端４１ａが上記Ｇ線より背面側に位置していれば、ブレーキポイントはいずれの位置に定めてもよい。
【００３５】
本実施例では、図６に示すように、天板２０の高さＨを７２０ｍｍ、使用者２の移動可能な幅Ｉ（支持軸１４から天板２０の後端２０ａまでの水平長さ）を３８０ｍｍ、着座面４１の高さＪを４４０ｍｍ以下（４２０〜４４０ｍｍ程度が適当）、座面４１の奥行きＫ（座体４０の前端４１ａから支持軸１４までの長さ）を３３５ｍｍとした。なお、本実施例のように、座体４０の前方に天板２０が存在する場合には、使用者２は起立するときに足の前面が天板２０に当たらないように姿勢が変化するため、天板２０の後端２０ａに基づいて奥行きＫを定めてもよい。
【００３６】
天板２０の高さＨおよび着座面４１の高さＪは、一般的な体格の人（身長１６５ｃｍ前後）が着座した際に、机として使用し易く、かつ、楽に足が接地できる高さである。
また、幅Ｉおよび奥行きＫは、使用者２が起立する際に足が天板２０にも座体４０にも接触しない値に定められている。幅Ｉが上記よりも大きい値であれば、使用者２は容易に起立でき、奥行きＫを大きくすることも可能となるが、支柱１０の前後の設置間隔を広くすることが必要となる。また、奥行きＫを上記よりも小さくすると、座体４０への座り心地が悪くなる。
【００３７】
天板２０および座体４０を上記のように設置すると、上述した一般的な体格の人が自然に（楽に）立ち上がる際の足接地位置７０は、支持軸１４の前方であって、支持軸１４からの水平長さＬが２００±２０ｍｍの位置となる。この足接地位置７０から鉛直方向に伸ばした線Ｇよりも座体４０が背面側であれば、使用者２ｂの姿勢から起立状態となっても足が接触することが無い。前端４１ａが線Ｇ上に位置するとき、前端４１ａと支持軸１４とを結ぶ直線の水平方向に対する角度（図６における角度Ｍ）は、５５°となる。よって、ブレーキポイントは、角度Ｍが５５°以上となるように設定すればよい。
（４）効果
このように構成された椅子ユニット１であれば、ガススプリング５０により、座体４０を立ち上がらせるための付勢と、座体４０と背凭れ３０やストッパなどとの衝突による大きな衝突音が発生することを抑制する減速と、を実現することができる。
【００３８】
よって、従来のように、スプリングなどの付勢するための手段と、ダンパーなどの緩衝するための手段とを２種類備える必要が無くなり、椅子ユニット１における部品を取り付けるためのスペースが削減できる。
【００３９】
そのため、上述したスプリングやダンパーが柱部１２Ｒ，１２Ｌや背凭れ３０に備えられているものと比較すると、上記装置の装着スペースが減少する分、着席して机を使用する際の足元のスペースを広く確保することや、椅子ユニット１を正面方向に詰めて設置することができる。
【００４０】
また、上述したスプリングやダンパーが座体４０の裏面に備えられているものと比較すると、座体４０のカバー４４で覆う厚みが小さくなり、座体４０を薄く構成することができる。それにより、起立途中に座体４０の裏面が人の足にあたってしまうことが抑制できるほか、座体４０が立ち上がって収納状態となった時には、天板２０と座体４０とのスペースを広く確保できるため、そのスペースを容易に移動できるようになる。
【００４１】
なお、座体４０の裏面における可能な限り座板４２に近接した位置に第１取付部４５を設け、座体４０が収納位置にある場合にロッド５４が支持軸１４に可能な限り近接した状態となる位置であって、支持軸１４よりも床面側の位置に第２取付部を設けると、収納位置における座体４０の厚みが薄くなり好ましい。
【００４２】
また、上述した構成の椅子ユニット１では、使用者が立ち上がろうとすると、使用者の足の膝や太腿の裏が座体４０に接触しやすい領域（使用位置からブレーキポイントまでの領域）では座体４０が素早く回動し、接触しにくい領域（ブレーキポイントから収納位置までの領域、つまり収納領域）まで回動すると、ゆっくりと動くことになる。よって、立ち上がり動作の邪魔にならず、都合がよい。
【００４３】
また、上述した構成の椅子ユニット１では、ガススプリング５０のみを調節することで、座体４０の回動速度とブレーキポイントの位置を調整することができる。
従来の椅子では、コイルスプリングの復元力とダンパーの反力との両方を調整する必要があったので、適切な回動動作を実現することが困難であった。また、コイルスプリングの品質のばらつきとダンパーの品質のばらつきを合せたものが、座体の動作を制御する力のばらつきとなっていたため、椅子ごとの動作のばらつきを小さくすることが困難であった。そのため、座体が収納位置に向けて回動する際、使用者の足と接触しにくい領域に回動するよりもかなり早い段階で回動速度が減速し、使用者の足に接触して起立の邪魔になるなどの問題が発生していたが、本実施例の椅子ユニット１では、調整が容易であるとともに、品質のばらつきを小さくできるため、容易に適切な回動動作を実現することができる結果、上述した従来技術の問題を解決することができる。
【００４４】
また、上述した構成の椅子ユニット１では、コイルスプリングとダンパーに替えてガススプリング５０のみを使用しているため、組み立て工数の減少や、部品の管理の簡易化によるコスト削減を可能とする。
【００４５】
従来から、この手の座体が回動する椅子としては、木やプラスチックなどで形成された座体が軽いものや、クッションやパッドが取り付けられた座体が重いものなど、多くのバリエーションでの製品化が求められてた。このようなバリエーションごとに、座体の重量および使用形態に合せた座体の回動の制御を実現しようとすると、多種のコイルスプリングやダンパーなどが必要となり、またそれらを生産し在庫として保管しておく必要があった。
【００４６】
これに対して上記構成の椅子ユニット１では、製造段階においてガススプリング５０のみを取り扱えばよいため、多種の在庫を管理する必要がなくなるとともに、取り付け工数の減少、部品の取り付けミスの抑制などが可能となり、コスト削減を達成できる。
【００４７】
また、必要な部品が減ることにより、椅子および机の設計上の制限が小さくなり、デザイン性が向上する。
また、上述した構成の椅子ユニット１では、ガススプリング５０が座板４２の裏面に配置されているため、座体４０が使用位置にあるときは、カバー４４が座体４０の下側に位置することとなる。よって、使用者が着座している状態では、体の一部が接触する可能性が低く、動作の邪魔にならないので都合が良い。
（５）変形例
以上、本発明の実施の形態について説明したが、本発明は、上記実施形態に何ら限定されることはなく、本発明の技術的範囲に属する限り種々の形態をとり得ることはいうまでもない。
【００４８】
例えば、上記実施形態においては、椅子ユニット１として、椅子および机の機能を備えているものを例示したが、天板２０を備えておらず、椅子のみの機能を有する構成であってもよい。
【００４９】
また、上記実施形態においては、ガススプリング５０は座体４０の裏面側に配置される構成を例示したが、座体４０が立ち上がる方向に付勢することができれば、その取り付け位置は特に限定されない。
【００５０】
例えば、ガススプリングが支柱１０の柱部１２に沿った位置に配置される構成であってもよい。その場合は、第１取付部４５を座体４０の後方に設け、第２取付部１５を突出部１３より上方に取り付けるとよい。このように構成することで、支柱１０にガススプリング５０を配置するスペースが必要となるものの、座体４０の裏面に配置する構成要素が無くなるため、カバー４４が不要となり、座体４０は座板４２のみで構成することが可能となる結果、座体４０を薄く構成でき、収納状態での天板２０と座体４０とのスペースを非常に広くすることができる。
【００５１】
また、上記実施形態においては、ガススプリング５０の伸長速度がチェックバルブ５７の動作により抑制される構成を例示したが、ガススプリング５０が所定の長さとなったときに伸長速度が抑制されれば、その具体的な構成は特に限定されない。例えば、シリンダ５３内にコイルスプリングを取り付けておき、ガススプリング５０が所定の長さとなったときにピストン５５などに接触してコイルスプリングが圧縮される構成とすることが考えられる。
【００５２】
また、上記実施形態においては、座体４０の前端４１ａが、図２における線Ｇよりも椅子の背面側の領域に回動したときの座体４０位置にブレーキポイントが定められる構成を例示したが、足接地位置７０を基準として定められていれば、ブレーキポイントの具体的な位置は特に限定されない。例えば、座体４０全体が線Ｇよりも椅子の背面側の領域に回動したときの位置をブレーキポイントとして定めることが考えられる。
【図面の簡単な説明】
【００５３】
【図１】実施形態の椅子ユニットを示す斜視図
【図２】椅子ユニットを複数配置した状態を示す側面図
【図３】座体を示す側面図
【図４】ガススプリングの構造を示す断面図
【図５】チェックバルブの動作を示す断面図
【図６】椅子ユニットを配置した際の寸法を示す側面図
【符号の説明】
【００５４】
１…椅子ユニット、２…使用者、１０…支柱、１１…固定部、１２…柱部、１３…突出部、１４…支持軸、１５…第２取付部、２０…天板、２０ａ…後端、３０…背凭れ、４０…座体、４１…着座面、４１ａ…前端、４２…座板、４３…軸受け、４４…カバー、４５…第１取付部、５０…ガススプリング、５１…ガス、５２…オイル、５３…シリンダ、５４…ロッド、５５…ピストン、５６…オリフィス、５７…チェックバルブ、５８…貫通孔、５９…第１連結部、６０…貫通孔、６１…第２連結部、７０…足接地位置
【図１】
0005378689.tif 000002
【図２】
0005378689.tif 000003
【図３】
0005378689.tif 000004
【図４】
0005378689.tif 000005
【図５】
0005378689.tif 000006
【図６】
0005378689.tif 000007